【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
クラウドホストに、異なるケーブルネットワーク試験手順を実行するように、複数のケーブルネットワーク試験デバイスを構成するパラメータを含む複数の試験デバイス構成指示を記憶することと、
前記クラウドホストにて、第１のコンピューティングデバイスから、
前記複数のケーブルネットワーク試験デバイスから、前記第１のコンピューティングデバイスとは別である選択されたケーブルネットワーク試験デバイスと、
前記複数の試験デバイス構成指示に追加するユーザ定義試験デバイス構成指示であって、前記選択されたケーブルネットワーク試験デバイスを構成するパラメータを含み、ケーブルネットワーク試験手順を実行する、ユーザ定義試験デバイス構成指示と、
前記複数の試験デバイス構成指示から、前記選択されたケーブルネットワーク試験デバイスに出す第１の選択された試験デバイス構成指示とのうちのそれぞれを受信することと、
前記選択されたケーブルネットワーク試験デバイスにて、前記クラウドホストから、前記ユーザ定義試験デバイス構成指示を含む前記第１の選択された試験デバイス構成指示を含む１つ又は２つ以上のデータパケットを受信することと、
前記選択されたケーブルネットワーク試験デバイスにて、前記選択されたケーブルネットワーク試験デバイスのユーザから、前記第１の選択された試験デバイス構成指示から１つ又は２つ以上の第２の選択された試験デバイス構成指示を受信することと、
前記第２の選択された試験デバイス構成指示に基づいて、１つ又は２つ以上のケーブルネットワーク試験手順を実行するように、前記選択されたケーブルネットワーク試験デバイスを構成することと、
前記選択されたケーブルネットワーク試験デバイスによって、前記第２の選択された試験デバイス構成指示に従って１つ又は２つ以上のケーブル試験手順を実行することと、を含む、方法。
【請求項２】
前記１つ又は２つ以上のデータパケットは、前記選択されたケーブルネットワーク試験デバイスによって無線で受信される、請求項１に記載の方法。
【請求項３】
前記選択されたケーブルネットワーク試験デバイスは、ワイドエリアネットワーク（ＷＡＮ）を介して前記クラウドホストに連結する、請求項２に記載の方法。
【請求項４】
前記選択されたケーブルネットワーク試験デバイスは、別の通信デバイスに連結し、前記通信デバイスは、ワイドエリアネットワーク（ＷＡＮ）を介して前記クラウドホストに無線で連結する、請求項１に記載の方法。
【請求項５】
前記複数の試験デバイス構成指示は、試験対象のケーブル媒体の種類、試験対象のケーブルの種類及び割り当てられる試験の種類のうちの少なくとも１つを指定する、請求項１に記載の方法。
【請求項６】
前記複数の試験デバイス構成指示は、試験対象の指定されたケーブル端部、ケーブルの試験測定を制御するためのセットアップパラメータ、各試験の種類に関連付けられたケーブルの割り当て、試験対象の各ケーブルに関連付けられたラベリングスキーム及び前記試験デバイスに取り込まれる試験結果データの種類のうちの少なくとも１つを指定する、請求項１に記載の方法。
【請求項７】
ケーブルネットワークを試験するためのシステムであって、
ケーブリング試験構成に従ってケーブリング試験を実行するように構成された少なくとも１つのケーブル試験デバイスと、
前記少なくとも１つの試験デバイスとのデータの送信のために、前記少なくとも１つの試験デバイスと連結するように構成されたクラウドホストと、を備え、前記クラウドホストデバイスは、
複数のケーブリング試験構成を記憶するデータベースであって、前記複数のケーブリング試験構成はそれぞれ、ケーブル試験デバイスを、規定の指示に従ってケーブル試験手順を実行するように構成することができる、データベースと、
コンピュータ指示を実行するプロセッサであって、該コンピュータ指示が、
前記少なくとも１つのケーブル試験デバイスとは別である第１のコンピューティングデバイスから、
前記少なくとも１つのケーブル試験デバイスから、選択されたケーブル試験デバイスと、
前記複数のケーブリング試験構成に追加するユーザ定義ケーブリング試験構成であって、ケーブル試験手順を実行するように、前記選択されたケーブルネットワーク試験デバイスを構成することができる、ユーザ定義ケーブリング試験構成と、
前記データベースにおいて前記複数のケーブリング試験構成から、第１のユーザ選択のケーブリング試験構成のサブセットと、とのうちからそれぞれを受信することと、
前記ユーザ定義ケーブリング試験構成を含む前記第１の選択されたケーブリング試験構成を前記選択されたケーブル試験デバイスに送信することと、を実行させるプロセッサと、を含むシステムであって、
前記少なくとも１つの試験デバイスが、コンピュータ指示を実行するプロセッサを含む前記選択されたケーブル試験デバイスを含み、該コンピュータ指示が、
前記クラウドホストから、前記第１の選択されたケーブリング試験構成を受信することと、
前記第１の選択されたケーブリング試験構成から、１つ又は２つ以上の第２のユーザ選択のケーブリング試験構成を受信することと、
前記第２の選択されたケーブリング試験構成に従って１つ又は２つ以上のケーブル試験手順を実行することと、を実行させる、システム。
【請求項８】
ケーブリング試験は、ケーブルのケーブリング証明、適格性確認及び検証のうちの少なくとも１つを実行することを含む、請求項７に記載のシステム。
【請求項９】
前記クラウドホストは、前記少なくとも１つのケーブル試験デバイスに無線で連結されている、請求項７に記載のシステム。
【請求項１０】
前記ケーブル試験デバイスは、ワイドエリアネットワーク（ＷＡＮ）を介して前記クラウドホストに連結する、請求項９に記載のシステム。
【請求項１１】
前記選択されたケーブル試験デバイスは、別の通信デバイスに連結し、前記通信デバイスは、ワイドエリアネットワーク（ＷＡＮ）を介して前記クラウドホストに無線で連結する、請求項７に記載のシステム。
【請求項１２】
前記複数のケーブリング試験構成は、試験対象のケーブル媒体の種類、試験対象のケーブルの種類及び割り当てられる試験の種類のうちの少なくとも１つを指定する、請求項７に記載のシステム。
【請求項１３】
前記複数のケーブリング試験構成は、試験対象の指定されたケーブル端部、ケーブルの試験測定を制御するためのセットアップパラメータ、各試験の種類に関連付けられたケーブルの割り当て、試験対象の各ケーブルに関連付けられたラベリングスキーム及び前記試験デバイスに取り込まれる試験結果データの種類のうちの少なくとも１つを指定する、請求項７に記載の方法。
【手続補正２】
【補正対象書類名】明細書
【補正対象項目名】０００６
【補正方法】変更
【補正の内容】
【０００６】
クラウドホストに、異なるケーブルネットワーク試験手順を実行するように、複数のケーブルネットワーク試験デバイスを構成するパラメータを含む複数の試験デバイス構成指示を記憶することと、前記クラウドホストにて、第１のコンピューティングデバイスから、複数のケーブルネットワーク試験デバイスから、第１のコンピューティングデバイスとは別である選択されたケーブルネットワーク試験デバイスと、複数の試験デバイス構成指示に追加するユーザ定義試験デバイス構成指示であって、選択されたケーブルネットワーク試験デバイスを構成するパラメータを含み、ケーブルネットワーク試験手順を実行する、ユーザ定義試験デバイス構成指示と、複数の試験デバイス構成指示から、選択されたケーブルネットワーク試験デバイスに出す第１の選択された試験デバイス構成指示とのうちのそれぞれを受信することと、選択されたケーブルネットワーク試験デバイスにて、クラウドホストから、ユーザ定義試験デバイス構成指示を含む第１の選択された試験デバイス構成指示を含む１つ又は２つ以上のデータパケットを受信することと、選択されたケーブルネットワーク試験デバイスにて、選択されたケーブルネットワーク試験デバイスのユーザから、第１の選択された試験デバイス構成指示から１つ又は２つ以上の第２の選択された試験デバイス構成指示を受信することと、第２の選択された試験デバイス構成指示に基づいて、１つ又は２つ以上のケーブルネットワーク試験手順を実行するように、選択されたケーブルネットワーク試験デバイスを構成することと、選択されたケーブルネットワーク試験デバイスによって、第２の選択された試験デバイス構成指示に従って１つ又は２つ以上のケーブル試験手順を実行することと、を含む、方法が説明される。
また、ケーブルネットワークを試験するためのシステムであって、ケーブリング試験構成に従ってケーブリング試験を実行するように構成された少なくとも１つのケーブル試験デバイスと、少なくとも１つの試験デバイスとのデータの送信のために、少なくとも１つの試験デバイスと連結するように構成されたクラウドホストと、を備え、クラウドホストデバイスは、複数のケーブリング試験構成を記憶するデータベースであって、複数のケーブリング試験構成はそれぞれ、ケーブル試験デバイスを、規定の指示に従ってケーブル試験手順を実行するように構成することができる、データベースと、コンピュータ指示を実行するプロセッサであって、該コンピュータ指示が、少なくとも１つのケーブル試験デバイスとは別である第１のコンピューティングデバイスから、少なくとも１つのケーブル試験デバイスから、選択されたケーブル試験デバイスと、複数のケーブリング試験構成に追加するユーザ定義ケーブリング試験構成であって、ケーブル試験手順を実行するように、選択されたケーブルネットワーク試験デバイスを構成することができる、ユーザ定義ケーブリング試験構成と、データベースにおいて前記複数のケーブリング試験構成から、第１のユーザ選択のケーブリング試験構成のサブセットと、とのうちからそれぞれを受信することと、ユーザ定義ケーブリング試験構成を含む第１の選択されたケーブリング試験構成を選択されたケーブル試験デバイスに送信することと、を実行させるプロセッサと、を含むシステムであって、少なくとも１つの試験デバイスが、コンピュータ指示を実行するプロセッサを含む選択されたケーブル試験デバイスを含み、該コンピュータ指示が、クラウドホストから、第１の選択されたケーブリング試験構成を受信することと、第１の選択されたケーブリング試験構成から、１つ又は２つ以上の第２のユーザ選択のケーブリング試験構成を受信することと、第２の選択されたケーブリング試験構成に従って１つ又は２つ以上のケーブル試験手順を実行することと、を実行させる、システムが説明される。